(57)【要約】【課題】本発明は、嵌合状態の両コネクタが離隔する方向に引っ張られても両者の嵌合を解除し難くできるコネクタを提供する。【解決手段】コネクタ１は、受け部８１を有する相手側コネクタ７に嵌合され、受け部に係止する係止アーム４が設けられている。係止アームが、相手側コネクタとの嵌合方向Ｙに延在するアーム部４１と、アーム部の先端乃至その近傍であって、嵌合方向に交差する方向に突出して設けられて受け部に係止する係止部４０と、を備え、係止部には、その先端部に、相手側コネクタとの嵌合反対方向に向けて突出形成されるとともに受け部に引っ掛かる爪部４４が形成されている。【選択図】図３
2016225202.tif 000002
【特許請求の範囲】
【請求項１】
受け部を有する相手側コネクタに嵌合され、前記相手側コネクタとの嵌合状態を維持するために、前記受け部に係止する係止アームが設けられたコネクタであって、
前記係止アームが、前記相手側コネクタとの嵌合方向に延在するアーム部と、該アーム部の先端乃至その近傍であって、前記嵌合方向に交差する方向に突出して設けられて前記受け部に係止する係止部と、を備え、
前記係止部には、その先端部に、前記相手側コネクタとの嵌合反対方向に向けて突出形成されるとともに前記受け部に引っ掛かる爪部が形成されていることを特徴とするコネクタ。
【請求項２】
前記相手側コネクタが嵌合された際に、前記受け部を前記アーム部側に押し付けるための押付け部が、前記アーム部に向けて突出して設けられていることを特徴とする請求項１に記載のコネクタ。
【請求項３】
前記相手側コネクタに嵌合する際において、
前記係止部が前記相手側コネクタに接触した後に、前記押付け部が前記相手側コネクタに接触する位置に当該押付け部が設けられていることを特徴とする請求項２に記載のコネクタ。
【発明の詳細な説明】
【技術分野】
【０００１】
本発明は、コネクタに関する。
【背景技術】
【０００２】
図８は、特許文献１に開示された従来のコネクタであって、第１ハウジングと第２ハウジングの嵌合状態を示す断面図である。従来、図８に示すように、第１ハウジング１０１及び第２ハウジング１０２を備え、第１ハウジング１０１に設けられたロックアーム１１０と、第２ハウジング１０２に設けられたロック突起１２０との係止により、両ハウジング１０１、１０２が嵌合状態に維持されるように構成されたコネクタ１００が開示されている（例えば特許文献１）。
【０００３】
ロックアーム１１０は、第１ハウジング１０１の外面から第２ハウジング１０２への嵌合方向と略同方向に延在形成されたアーム１１１と、該アーム１１１の先端部において、第２ハウジング１０２のロック突起１２０に向けて突出形成されて当該ロック突起１２０に係止する係止突起１１２と、を有して構成されている。このロックアーム１１０は、第１ハウジング１０１の外面から離隔するロック解除方向へ弾性変位可能なように構成されている。
【０００４】
係止突起１１２には、ロック突起１２０に係止する第１係止面１１３が設けられている。この第１係止面１１３は、ロックアーム１１０が弾性変位していない自然状態において、上端（係止突起１１２の基端）よりも下端（突出端）がアーム１１１の付け根側に位置するように傾斜して設けられている。また、ロック突起１２０には、両ハウジング１０１、１０２の嵌合方向に略垂直な第２係止面１２１が形成されている。
【０００５】
このような両ハウジング１０１、１０２が嵌合する過程では、係止突起１１２がロック突起１２０を乗り越え、ロックアーム１１０が弾性復帰して、第１係止面１１３が第２係止面１２１に係止する。この状態において、第１ハウジング１０１は第２ハウジング１０２に対し離脱する方向への移動が規制されて、両ハウジング１０１、１０２の嵌合状態が維持される。
【０００６】
図９は、従来の一般的なコネクタの問題点を説明するための図であり、（Ａ）は、ロックアーム１１０が第２係止面１２１に係止した状態を示す図であり、（Ｂ）は、（Ａ）の状態において、両ハウジング１０１、１０２のうち一方が他方から離隔する方向に引っ張られた状態を示す図であり、（Ｃ）は、（Ｂ）の状態からさらに引っ張られた状態を示す図である。即ち、両ハウジング１０１、１０２のうち一方が他方から離隔する方向に引っ張られると、第１係止面１１３は、図９（Ａ）に示すように、上端（係止突起１１２の基端）よりも下端（突出端）がアーム１１１の付け根側に位置するように傾斜した状態から、図９（Ｂ）に示すように、第１係止面１１３の下端がアーム１１１の付け根から離れた側に変位され、第１係止面１１３が両ハウジング１０１、１０２の嵌合方向に略垂直となる。そして、第１係止面１１３が第２係止面１２１を滑って、ロックアーム１１０が上方に逃げていく。さらに、引っ張られて離隔が進むと、図９（Ｃ）に示すように、第１係止面１１３の下端がさらにアーム１１１の付け根から離れた側に変位され、第１係止面１１３の第２係止面１２１への係止が解除され、両コネクタの嵌合が解除されてしまうことがある。
【先行技術文献】
【特許文献】
【０００７】
【特許文献１】特開２０１３−２４３００８号公報
【発明の概要】
【発明が解決しようとする課題】
【０００８】
そこで、本発明は、嵌合状態の両コネクタが離隔する方向に引っ張られても両者の嵌合が解除され難いコネクタを提供することを目的とする。
【課題を解決するための手段】
【０００９】
上記目的を解決するために本発明は以下の構成を備える。
即ち、請求項１に記載の本発明は、受け部を有する相手側コネクタに嵌合され、前記相手側コネクタとの嵌合状態を維持するために、前記受け部に係止する係止アームが設けられたコネクタであって、前記係止アームが、前記相手側コネクタとの嵌合方向に延在するアーム部と、該アーム部の先端乃至その近傍であって、前記嵌合方向に交差する方向に突出して設けられて前記受け部に係止する係止部と、を備え、前記係止部には、その先端部に、前記相手側コネクタとの嵌合反対方向に向けて突出形成されるとともに前記受け部に引っ掛かる爪部が形成されていることを特徴とするコネクタである。
【００１０】
請求項２に記載された発明は、請求項１に記載された本発明において、前記相手側コネクタが嵌合された際に、前記受け部を前記アーム部側に押し付けるための押付け部が、前記アーム部に向けて突出して設けられていることを特徴とする。
【００１１】
請求項３に記載された発明は、請求項２に記載の本発明において、前記相手側コネクタに嵌合する際において、前記係止部が前記相手側コネクタに接触した後に、前記押付け部が前記相手側コネクタに接触する位置に当該押付け部が設けられていることを特徴とする。
【発明の効果】
【００１２】
請求項１に記載された発明によれば、係止アームには、係止部の先端部に、相手側コネクタとの嵌合反対方向に向けて突出形成されるとともに受け部に引っ掛かる爪部が形成されている。このようなコネクタは、両コネクタのうち一方が他方から離隔する方向に引っ張られたとしても、爪部が受け部に引っ掛かっているから、係止アームの受け部への係止が解除される方向に動かされ難くなる。従って、嵌合状態の両コネクタが離隔する方向に引っ張られても両者の嵌合が解除され難いコネクタを提供することができる。
【００１３】
請求項２に記載された発明によれば、相手側コネクタが嵌合された際に、受け部をアーム部側に押し付けるために相手側コネクタを付勢する押付け部が、アーム部に向けて突出して設けられている。これにより、両コネクタが嵌合する際に、受け部がアーム部側に押し付けられ、爪部が受け部に確実に引っ掛かる。従って、係止アームの受け部への係止を確実なものにすることができるとともに、係止アームの受け部への係止を、より一層、解除し難くすることができる。
【００１４】
請求項３に記載された発明によれば、相手側コネクタに嵌合する際において、
係止部が相手側コネクタに接触した後に、押付け部が相手側コネクタに接触する位置に当該押付け部が設けられている。即ち、係止部が相手側コネクタに接触した後に、押付け部が相手側コネクタに接触することとなり、係止部及び押付け部が相手側コネクタに同時に接触する場合に比して、係止アームの受け部への係止に必要な力を分散させることができる。
【図面の簡単な説明】
【００１５】
【図１】本発明の一実施の形態にかかるコネクタを示す斜視図である。
【図２】図１に示されたコネクタを示す正面図である。
【図３】（Ａ）は、図１に示されたコネクタにおいて、保護壁が省略された側面図であり、（Ｂ）は（Ａ）の要部拡大図である。
【図４】図１に示されたコネクタに形成された押付け部の作用を説明するための図であり、（Ａ）は、押付け部が形成されていない場合を示す図であり、（Ｂ）は、押付け部により受け部がアーム部側に押し付けられた状態を示す図である。
【図５】図１に示されたコネクタに嵌合される相手側コネクタを示す正面図である。
【図６】図３（Ａ）に示されたコネクタと相手側コネクタとの嵌合状態を示す図であり、一部断面を示す図である。
【図７】図６に示された相手側コネクタの変形例を示す断面図である。
【図８】特許文献１に開示された従来のコネクタであって、第１ハウジングと第２ハウジングの嵌合状態を示す断面図である。
【図９】従来のコネクタの問題点を説明するための図であり、（Ａ）は、ロックアームがロック突起に係止した状態を示す図であり、（Ｂ）は、（Ａ）の状態において、両ハウジングのうち一方が他方から離隔する方向に引っ張られた状態を示す図であり、（Ｃ）は、（Ｂ）の状態からさらに引っ張られた状態を示す図である。
【発明を実施するための形態】
【００１６】
本発明の一実施の形態に係るコネクタ、及び、このコネクタを有するコネクタユニットを、図１〜図６を参照して説明する。
【００１７】
図１は、本発明の一実施の形態にかかるコネクタを示す斜視図である。図２は、図１に示されたコネクタを示す嵌合面から見た正面図である。図３の（Ａ）は、図１に示されたコネクタにおいて、保護壁５が省略された側面図であり、（Ｂ）は（Ａ）の要部拡大図である。図４は、図１に示されたコネクタに形成された押付け部の作用を説明するための図であり、（Ａ）は、押付け部が形成されていない場合を示す図であり、（Ｂ）は、押付け部により受け部がアーム側に押し付けられた状態を示す図である。図５は、図１に示されたコネクタに嵌合される相手側コネクタを示す正面図である。図６は、図３（Ａ）に示されたコネクタと相手側コネクタとの嵌合状態を示す図であり、一部断面を示す図である。
【００１８】
図１〜図６に示すように、コネクタユニット１０は、雌コネクタ１（コネクタ）と、この雌コネクタ１に嵌合する雄コネクタ７（相手側コネクタ）と、を備えて構成されている。
【００１９】
ここで、図１等に示す矢印Ｙ、Ｘ、Ｚは互いに直交する方向を示す。以下の説明では、図１に示す矢印Ｙは、雌コネクタ１と雄コネクタ７の嵌合方向を示している。また、本明細書における「嵌合方向」とは、雌コネクタ１と雄コネクタ７とが互いに近付く方向であり、雌コネクタ１の嵌合方向（「前方」と記す場合がある）は、図２における紙面垂直方向の手前に向かう方向のことである。また、雌コネクタの嵌合反対方向（「後方」と記す場合がある）とは、図２における紙面垂直方向の奥側に向かう方向のことである。同様に、雄コネクタ７についても、嵌合方向側を「前方」と記し、嵌合反対方向を「後方」と記す場合がある。また、図１、２等に示す矢印Ｘ（「左右方向」と記す場合がある）は、矢印Ｙに対して直交する一方向である。図１、２等に示す矢印Ｚ（「上下方向」と記す場合がある）は、矢印Ｙと矢印Ｘとの双方に対して直交する方向であり、係止アーム４が弾性変形する方向を示している。
【００２０】
まず、雌コネクタ１の構造について、図１〜図３を参照して説明する。雌コネクタ１は、複数の雌端子（不図示）と、雌端子を収容する雌側ハウジング２と、を備えている。雌端子は、導電部材から構成され、後述する雄コネクタ７の雄端子７０に電気的に接続される周知の雌端子である。雌端子は、電源線に接続される３個の第１雌端子と、信号線に接続される１個の第２雌端子と、を有している。
【００２１】
雌側ハウジング２は、図１、図２に示すように、合成樹脂等から構成され、複数の雌端子それぞれが収容される複数の端子収容部３０を有するハウジング本体３と、このハウジング本体３と一体に設けられて、雄コネクタ７との嵌合状態を維持するための係止アーム４と、この係止アーム４を覆って保護するための保護壁５と、を一体に備えている。
【００２２】
複数の端子収容部３０は、それぞれ、嵌合方向（矢印Ｙ方向）に沿って貫通して設けられているとともに、その内部に各雌端子が収容可能なように、それぞれ角筒状に形成されている。これら複数の端子収容部３０は、後端部同士が連結されている。複数の端子収容部３０は、第１雌端子それぞれを収容する３個の第１端子収容部３１、３２、３３と、第２雌端子を収容する１個の第２端子収容部３４と、を備えて構成されている。
【００２３】
３個の第１端子収容部３１、３２、３３は、図２に示すように、第１端子収容部３１が中央部に設けられ、残りの第１端子収容部３２，３３が中央に位置する第１端子収容部３１の左右の両側において、下方にずれた位置に設けられている。さらに、中央部の第１端子収容部３１は、その上面における左右の端縁が略同じ高さ位置になるように設けられ、左方側の第１端子収容部３２は、その上面における左方側の端縁３２ｂが右方側の端縁３２ａよりも低い位置になるように斜めに設けられ、右方側の第１端子収容部３３は、その上面における右方側の端縁３３ｂが左方側の端縁３３ａよりも低い位置になるように斜めに設けられている。
【００２４】
第２端子収容部３４は、図２に示すように、中央に位置する第１端子収容部３１の下方に隣接して設けられるとともに、第１端子収容部３２、３３の間に設けられている。また、第２端子収容部３４は、図３（Ａ）に示すように、その前端が、第１端子収容部３１、３２，３３の前端よりも後方側にずれた位置に設けられ、その後端が、第１端子収容部３１、３２、３３の後端から後方に突出して設けられている。
【００２５】
係止アーム４は、図２、図３（Ａ）に示すように、左右方向（矢印Ｘ方向）に離間して並べて設けられているとともに、嵌合方向（矢印Ｙ方向）に沿って長尺状の一対のアーム部４１と、一対のアーム部４１の自由端（先端部）同士を連結する連結部４２（図２に示す）と、連結部４２から下方に向けて突出形成された係止本体４３と、この係止本体４３の突出方向側の端部から後方（嵌合反対方向）に向けて突出形成された爪部４４と、を備えている。係止本体４３と爪部４４とは、請求項中の「係止部」（符号４０を付す）を構成する。このような係止アーム４は、アーム部４１が上下方向（矢印Ｚ方向）に弾性変形するように設けられているとともに、このアーム部４１が弾性変形することで、係止部４０が、上下に変位するように設けられている。なお、本実施形態では、係止部４０は、アーム部４１の先端部に設けられているが、係止部は、アーム部４１の先端から基端側に離間した位置に設けられていてもよい。つまり、係止部が上下に変位可能な位置に設けられていれば、アーム部４１における何れの位置に設けられていてもよい。
【００２６】
また、係止アーム４は、図３（Ｂ）に示すように、各アーム部４１、係止本体４３及び爪部４４が、略コ字状となるように形成されている。さらに、係止アーム４は、各アーム部４１と爪部４４とが上下に離間して設けられ、これらの間に、係止アーム４が係止する雄コネクタ７の受け部８１（図４に示す）が収容可能なように構成されている。
【００２７】
係止本体４３には、図３（Ｂ）に示すように、係止部４０が受け部８１に乗り上げ易くするためのテーパ４３Ａと、係止部４０が受け部８１を係止した状態で、受け部８１の端面８１ａに対向する係止面４３Ｂと、が設けられている。また、係止面４３Ｂは、アーム部４１が弾性変形していない自然状態において、嵌合方向（矢印Ｙ方向）に略垂直になるように設けられている。
【００２８】
爪部４４は、図３（Ｂ）に示すように、側面視が、角部を有さない曲面から構成された楕円状になるように形成されている。このような爪部４４により、係止アーム４が受け部８１を係止する際に、アーム部４１と爪部４４との間に、受け部８１が収容され易くなるように構成されている。本実施形態では、爪部４４は、側面視が、角部を有さない曲面から構成された楕円状になるように形成されているが、本発明はこれに限らず、側面視において、上下に角部を有する矩形状になるように形成されていてもよく、下方側のみが角部から構成され、上方側の角部に当たる位置は、角部を有さない曲面から構成されていてもよい。
【００２９】
さらに、図３（Ａ）に示すように、係止アーム４には、該係止アーム４の受け部８１への係止を解除するための操作部４５が設けられ、この操作部４５を押圧することで、係止アーム４の受け部８１への係止を解除可能なように構成されている。
【００３０】
保護壁５は、図１、図２に示すように、係止アーム４の左右の両側に設けられて、左右に対向する一対の側壁５１と、一対の側壁５１の上端同士を連結する天壁５２と、一対の側壁５１それぞれの下端から左右に延出形成される一対の延出壁５３と、を備えて構成されている。天壁５２は、その一部が矩形状に切り欠かれている。これにより、係止アーム４の係止状態を視認できる。
【００３１】
このような保護壁５は、係止アーム４を保護するのに加えて、係止アーム４を受け部８１に向けて係止案内するように構成されている。即ち、保護壁５における一対の側壁５１に、雄コネクタ７に設けられて一対の側壁５１に対向される側板８３が摺動して、後方側に案内されるように構成されている。
【００３２】
さらに、雌側ハウジング２には、図２、図３（Ａ）に示すように、受け部８１を上方に向けて押し上げるためのリブ６（押付け部）が形成されている。このリブ６は、一対の延出壁５３の下方側において当該延出壁５３と対向する対向壁５４に設けられ、当該対向壁５４の上方に向けて突出形成されているとともに嵌合方向（矢印Ｙ方向）に延在して設けられている。
【００３３】
このようなリブ６は、該リブ６と各延出壁５３との間に、雄コネクタ７のフード部８２（図５に示す）の周壁の一部（以下、「被押上げ部８４」と記す）が進入した際に、図４（Ａ）に示す状態から、図４（Ｂ）に示すように、被押上げ部８４が上方に押し上げられ、被押上げ部８４に連続された受け部８１を押し上げる。これにより、両コネクタ１、７が嵌合した際に、各アーム部４１と爪部４４との間に受け部８１が収容される。この状態で、両コネクタ１、７のうち一方が他方から離隔する方向に引っ張られたとしても、爪部４４が受け部８１に引っ掛かり、係止アーム４の受け部８１への係止が解除される方向に動かされ難くなる。このように、爪部４４は、両コネクタ１、７のうち一方が他方から離隔する方向に引っ張られた際に、受け部８１に引っ掛かり得るように構成されている。
【００３４】
また、係止部４０が雄コネクタ７に接触する時に、リブ６が雄コネクタ７に接触していない。詳細には、係止部４０が、乗上げ部８５を乗り上げて、平坦面８５Ａ上に位置した状態で、リブ６の前端６ａが雄コネクタ７に接触するように構成されている。または、係止部４０が、平坦面８５Ａにおける前端から後端までを摺動する間に、リブ６の前端６ａが雄コネクタ７に接触するように構成されていればよい。これにより、係止部４０が乗上げ部８５を乗り上げるための力と、リブ６を乗り上げるための力が同時に作業者にかからない。よって、係止部４０及びリブ６が雄コネクタ７に同時に接触する場合に比して、係止アーム４の受け部８１への係止に必要な力を分散させることができる。
【００３５】
次に、雄コネクタ７の構造について、図４、図５、図６を参照して説明する。雄コネクタ７は、図５に示すように、雄端子７０と、雄側ハウジング８と、を備えている。雄端子７０は、導電部材から構成され、雌端子に電気的に接続される周知の雄端子である。雄端子７０は、第１雌端子それぞれに接続される３個の第１雄端子７１と、第２雌端子に接続される１個の第２雄端子７２と、を有している。
【００３６】
雄側ハウジング８は、図５に示すように、受け部８１と、嵌合方向（矢印Ｙ方向）を軸とした軸周りに雄端子を囲むフード部８２と、を有して筒状に形成されている。受け部８１は、矩形板状に形成されているとともに、上下方向（矢印Ｚ方向）が板厚方向となるように配置されている。フード部８２は、雌側ハウジング２の各端子収容部３０が進入可能なように、その内部が隔壁８６により仕切られている。フード部８２には、受け部８１の左右の縁端から下方に立設する一対の側板８３と、一対の側板８３の下端から左右方向（矢印Ｘ方向）に延在して設けられて、リブ６によって押上げられる被押上げ部８４と、が設けられている。
【００３７】
受け部８１は、図４に示すように、その中央部に形成されているとともに、前方側に係止アーム４が係止する端面８１ａを有する貫通孔８０と、貫通孔８０よりも前方側の乗上げ部８５と、を有して構成されている。貫通孔８０の端面８１ａは、嵌合方向（矢印Ｙ方向）に略垂直になるように設けられている。
【００３８】
乗上げ部８５は、図５、図６に示すように、その前端８５ａ（受け部８１の前端８５ａと同じ位置）が、フード部８２の前端８２ａよりも後方側に位置するように設けられている。また、乗上げ部８５の上面は、端面８１ａよりも前方側の平坦面８５Ａと、この平坦面８５Ａよりも前方側の傾斜面８５Ｂと、を有して構成されている。
【００３９】
次に、上述した係止アーム４が受け部８１を係止する際の動作について説明する。
【００４０】
雌側ハウジング２を、雄コネクタ７のフード部８２内に進入させる。係止アーム４が乗上げ部８５の前端８５ａに当接する。さらに進入させると、アーム部４１が弾性変形して、係止部４０が上方に変位して傾斜面８５Ｂを乗り上げる。さらに進入させると、係止部４０が、平坦面８５Ａに摺動する。この後、リブ６の前端６ａが、被押上げ部８４に当接する。さらに進入させるに伴って、被押上げ部８４がリブ６を乗り上げて、受け部８１を押し上げる。この後、係止部４０が貫通孔８０に落下して、アーム部４１が自然状態となる。こうして、係止部４０の係止面４３Ｂが端面８１ａに係止する。アーム部４１と爪部４４との間に、受け部８１が収容される。この際、爪部４４は、両コネクタ１、７のうち一方が他方から離隔する方向に引っ張られた際に、端面８１ａの下端に引っ掛かり得るように設けられている。これにより、係止アーム４が受け部８１を係止して、雌コネクタ１と雄コネクタ７とが嵌合する。
【００４１】
このようなコネクタユニット１０は、両コネクタ１、７のうち一方が他方から離隔する方向に引っ張られたとしても、爪部４４が端面８１ａの下端に引っ掛かっているから、係止アーム４の受け部８１への係止が解除される方向に動かされ難くなる。従って、嵌合状態の両コネクタ１、７が離隔する方向に引っ張られても両者の嵌合が解除され難くできる。
【００４２】
なお、本発明は、前記実施形態に限定されるものではなく、本発明の目的が達成できる他の構成等を含み、以下に示すような変形等も本発明に含まれる。例えば、雌側ハウジング２において、ハウジング本体３と係止アーム４は一体に設けられているが、本発明はこれに限らず、係止アームは、ハウジング本体３と別体に設けられていてもよい。また、係止アーム４は、一対のアーム部４１を有しているが、対を有して構成していなくともよく、アーム部は、１以上から構成されていればよい。
【００４３】
また、雄側ハウジング８において、受け部８１の板厚は、アーム部４１と爪部４４との離間寸法よりも小さくなるように形成されて、アーム部４１と爪部４４との間に、受け部８１が収容可能なように構成されているが、本発明はこれに限定されるものではない。図７に示すように、受け部８１´の板厚を厚くしたい場合には、端面８１ａに爪部４４を引っ掛けるための凹部８７が形成されていてもよい。
【００４４】
また、コネクタ１、７は、電気的に接続される４組の端子を有しているが、本発明はこれに限らず、電気的に接続される１組以上の端子を有していれよい。また、コネクタユニットとして、雌コネクタ１と雄コネクタ７とが互いに電気的に接続されるものを一例として説明したが、本発明はこれに限らず、互いに光接続されるコネクタユニットに用いてもよい。
【００４５】
上述した実施形態は本発明の代表的な形態を示したに過ぎず、本発明は、実施形態に限定されるものではない。即ち、当業者は、従来公知の知見に従い、本発明の骨子を逸脱しない範囲で種々変形して実施することができる。かかる変形によってもなお本発明のコネクタの構成を具備する限り、勿論、本発明の範疇に含まれるものである。
【符号の説明】
【００４６】
１         雌コネクタ（コネクタ）
４         係止アーム
６         リブ（押付け部）
７         雄コネクタ（相手側コネクタ）
４０       係止部
４１       アーム部
４４       爪部
８１       受け部
【図１】
2016225202.tif 000003
【図２】
2016225202.tif 000004
【図３】
2016225202.tif 000005
【図４】
2016225202.tif 000006
【図５】
2016225202.tif 000007
【図６】
2016225202.tif 000008
【図７】
2016225202.tif 000009
【図８】
2016225202.tif 000010
【図９】
2016225202.tif 000011